(57)【要約】【課題】  家庭内と車両内とでデータを共有できる無線ＬＡＮシステムを提供すること。【解決手段】  無線ＬＡＮ制御部１は、無線ルータ２１と無線ＬＡＮ接続が成立するとパーソナルコンピュータＰ１、Ｐ２のハードディスクの共有フォルダを確認する（ステップＳ１〜ステップＳ３）。そして、無線ＬＡＮ制御部１は、共有フォルダにデータがあった場合は、ナビ制御部３及びハードディスク４に電源供給がなされていることを条件に、そのデータを受信する（ステップＳ４〜ステップＳ８）。受信したデータはナビ制御部３にてハードディスク４へ記憶される（ステップＳ９）。共有フォルダのデータを全て受信した無線ＬＡＮ制御部１は、ナビ制御部３及びハードディスク４の電源をデータを受信する以前の状態にセットする（ステップＳ１０〜ステップＳ１２）。【選択図】        図３
2005244832.tif 000002
【特許請求の範囲】
【請求項１】
家庭における情報機器と車両における情報機器とが無線ＬＡＮで接続された無線ＬＡＮシステムであって、
前記家庭には、前記無線ＬＡＮに接続する家庭側無線ＬＡＮ接続手段が設けられ、当該家庭側無線ＬＡＮ接続手段は、無線ＬＡＮを介して前記車両における情報機器からのデータを受信すると共に、受信したデータを前記家庭における情報機器に出力するものであり、
前記車両には、前記無線ＬＡＮに接続する車両側無線ＬＡＮ接続手段が設けられ、当該車両側無線ＬＡＮ接続手段は、無線ＬＡＮを介して前記家庭における情報機器からのデータを受信すると共に、受信したデータを前記車両における情報機器に出力することを特徴とする無線ＬＡＮシステム。
【請求項２】
前記家庭側無線ＬＡＮ接続手段は、前記家庭における情報機器からのデータを無線ＬＡＮを介して送信すると共に、前記車両側無線ＬＡＮ接続手段は、前記車両における情報機器からのデータを無線ＬＡＮを介して送信することを特徴とする請求項１に記載の無線ＬＡＮシステム。
【請求項３】
前記家庭における情報機器はデータを記憶する家庭側記憶手段を備え、前記車両における情報機器はデータを記憶する車両側記憶手段を備え、前記家庭側無線ＬＡＮ接続手段は当該車両側記憶手段に記憶されたデータを受信し、前記車両側無線ＬＡＮ接続手段は当該家庭側記憶手段に記憶されたデータを受信することを特徴とする請求項１又は請求項２に記載の無線ＬＡＮシステム。
【請求項４】
前記家庭における情報機器は、受信したデータを前記家庭側記憶手段に記憶すると共に、前記車両における情報機器は、受信したデータを前記車両側記憶手段に記憶することを特徴とする請求項３に記載の無線ＬＡＮシステム。
【請求項５】
前記家庭における情報機器は、記憶媒体に記憶されたデータを読出すデータ読出手段を備えることを特徴とする請求項１乃至請求項４のいずれかに記載の無線ＬＡＮシステム。
【請求項６】
前記家庭における情報機器は、インターネット網に接続することによってデータを取得及び／又は配信するインターネット接続手段を備えることを特徴とする請求項１乃至請求項５のいずれかに記載の無線ＬＡＮシステム。
【請求項７】
前記家庭における情報機器は、目的地までの案内経路に関する経路案内データを生成するデータ生成手段を備えるものであり、前記車両における情報機器は、当該車両の現在位置を検出する現在位置検出手段と、道路地図に関する地図データを記憶する地図データ記憶手段と、前記経路案内データを取得すると当該経路案内データに基づいて前記現在位置から前記目的地までの経路案内を行う経路案内手段とを備えることを特徴とする請求項１乃至請求項６のいずれかに記載の無線ＬＡＮシステム。
【請求項８】
前記経路案内データは、目的地データであり、前記経路案内手段は、当該経路案内データを取得すると前記現在位置から前記目的地までの経路データを算出することを特徴とする請求項７に記載の無線ＬＡＮシステム。
【請求項９】
前記経路案内データは、目的地データと案内経路の算出条件データであり、前記経路案内手段は、当該経路案内データを取得すると前記算出条件データに基づいて前記現在位置から前記目的地までの経路データを算出することを特徴とする請求項７に記載の無線ＬＡＮシステム。
【請求項１０】
前記経路案内データは、目的地までの経路データであり、前記経路案内手段は、当該経路案内データを取得すると前記経路データに基づいて前記現在位置から前記目的地までの経路案内を行うことを特徴とする請求項７に記載の無線ＬＡＮシステム。
【請求項１１】
前記車両における情報機器は、目的地を設定する目的地設定手段を備え、前記経路案内手段は、前記目的地が設定されると前記現在位置から前記目的地までの経路データを算出し、当該経路データに基づいて前記現在位置から前記目的地までの経路案内を行うものであり、前記家庭における情報機器は、前記経路データを取得すると、当該取得した経路データを出力及び／又は前記家庭側記憶手段に記憶することを特徴とする請求項７に記載の無線ＬＡＮシステム。
【請求項１２】
前記車両における情報機器は、撮像装置から画像データを取得する画像取得手段を備えることを特徴とする請求項１乃至請求項１１のいずれかに記載の無線ＬＡＮシステム。
【請求項１３】
前記家庭における情報機器は、前記家庭側無線ＬＡＮ接続手段と無線ＬＡＮにて接続されることを特徴とする請求項１乃至請求項１２のいずれかに記載の無線ＬＡＮシステム。
【発明の詳細な説明】
【技術分野】
【０００１】
本発明は、無線ＬＡＮシステムに関するものである。
【背景技術】
【０００２】
従来、特許文献１に開示されるように、車載機に無線ＬＡＮ装置を備え、外部と無線ＬＡＮ接続する無線ＬＡＮシステムが知られている。
【０００３】
特許文献１における無線ＬＡＮステムでは、無線ＬＡＮ装置を備えた車載機は、店舗などの無線ＬＡＮ装置を備えた施設からの電波の到達範囲になると、該当する施設に無線ＬＡＮ接続することによって必要な画像や音声などのデータを入手するものである。
【特許文献１】特開２００３−３０２２３２号公報
【発明の開示】
【発明が解決しようとする課題】
【０００４】
上記特許文献１に開示される無線ＬＡＮシステムのように画像データや音声データなどを入手することによって車両内でも映画や音楽を楽しむことができる。しかしながら、上記無線ＬＡＮシステムにおいては、画像データや音声データなどを施設から入手するものに過ぎない。従って、家庭内と車両内とでデータの共有ができておらず、入手した画像データや音声データが車両の搭乗者が家庭内にＤＶＤやＣＤとして所有している画像データや音声データと重複する場合、費用が余分に必要となってしまう。
【０００５】
本発明は、上記問題点に鑑みなされたものであり、家庭内と車両内とでデータを共有できる無線ＬＡＮシステムを提供することを目的とする。
【課題を解決するための手段】
【０００６】
上記目的を達成するために請求項１に記載の無線ＬＡＮシステムは、家庭における情報機器と車両における情報機器とが無線ＬＡＮで接続された無線ＬＡＮシステムであって、家庭には無線ＬＡＮに接続する家庭側無線ＬＡＮ接続手段が設けられ、家庭側無線ＬＡＮ接続手段は、無線ＬＡＮを介して車両における情報機器からのデータを受信すると共に、受信したデータを家庭における情報機器に出力するものであり、車両には無線ＬＡＮに接続する車両側無線ＬＡＮ接続手段が設けられ、車両側無線ＬＡＮ接続手段は、無線ＬＡＮを介して家庭における情報機器からのデータを受信すると共に、受信したデータを車両における情報機器に出力するものである。
【０００７】
このように、家庭における情報機器と車両における情報機器とが無線ＬＡＮで接続されており、車両における情報機器は家庭における情報機器からのデータを取得すると共に、家庭における情報機器は車両における情報機器からのデータを取得するので、家庭内と車両内とでデータを共有することができる。
【０００８】
また、請求項２に記載の無線ＬＡＮシステムでは、家庭側無線ＬＡＮ接続手段は、家庭における情報機器からのデータを無線ＬＡＮを介して送信すると共に、車両側無線ＬＡＮ接続手段は、車両における情報機器からのデータを無線ＬＡＮを介して送信することを特徴とするものである。
【０００９】
このように、家庭内と車両内とで共有するデータを家庭側無線ＬＡＮ接続手段及び車両側無線ＬＡＮ接続手段が送信するようにしてもよい。
【００１０】
また、請求項３に記載の無線ＬＡＮシステムでは、家庭における情報機器はデータを記憶する家庭側記憶手段を備え、車両における情報機器はデータを記憶する車両側記憶手段を備え、家庭側無線ＬＡＮ接続手段は車両側記憶手段に記憶されたデータを受信し、車両側無線ＬＡＮ接続手段は家庭側記憶手段に記憶されたデータを受信することを特徴とするものである。
【００１１】
このように、家庭側無線ＬＡＮ接続手段は、車両側記憶手段に記憶されたデータを受信し、車両側無線ＬＡＮ接続手段は、家庭側記憶手段に記憶されたデータを受信することによってデータを共有するようにしてもよい。
【００１２】
また、請求項４に記載の無線ＬＡＮシステムでは、家庭における情報機器は、受信したデータを家庭側記憶手段に記憶すると共に、車両における情報機器は、受信したデータを車両側記憶手段に記憶することを特徴とするものである。
【００１３】
このように、家庭及び車両における情報機器は、受信したデータを家庭側記憶手段及び車両側記憶手段に記憶しておくことによって、一度受信したデータは、再度受信することなくデータを出力できる。
【００１４】
また、請求項５に記載の無線ＬＡＮシステムでは、家庭における情報機器は記憶媒体に記憶されたデータを読出すデータ読出手段を備えることを特徴とするものである。
【００１５】
このように、家庭における情報機器が記憶媒体に記憶されたデータを読出すデータ読出手段を備えることによって、記憶媒体を家庭から車両へ持ち運んだり、車両用としての記憶媒体を購入したりすることなく、車両にて記憶媒体に記憶されたデータを出力することができる。
【００１６】
また、請求項６に記載の無線ＬＡＮシステムでは、家庭における情報機器はインターネット網に接続することによってデータを取得及び／又は配信するインターネット接続手段を備えることを特徴とするものである。
【００１７】
通常、車両からインターネット網に接続する場合、車両内に表示装置、携帯電話などを設け、更にプロバイダに契約する必要がある。しかしながら、車両の搭乗者が家庭用としてプロバイダと契約している場合、別途車両用としてプロバイダに契約することにより二重にプロバイダ契約料金が必要になるばかりか、携帯電話などの通信料金も必要になる。
【００１８】
請求項６に記載の無線ＬＡＮシステムでは、家庭における情報機器がインターネット接続手段を備えるので、家庭用として契約しているプロバイダを利用して車両からインターネット網に接続することができる。更に、家庭における情報機器と車両における情報機器とが無線ＬＡＮで接続されているので、携帯電話などの通信料金も必要なくなる。
【００１９】
また、請求項７に記載の無線ＬＡＮシステムでは、家庭における情報機器は、目的地までの案内経路に関する経路案内データを生成するデータ生成手段を備えるものであり、車両における情報機器は車両の現在位置を検出する現在位置検出手段と、道路地図に関する地図データを記憶する地図データ記憶手段と、経路案内データを取得すると経路案内データに基づいて現在位置から目的地までの経路案内を行う経路案内手段とを備えることを特徴とするものである。
【００２０】
近年、目的地を設定すると、車両の現在位置からその目的地までの経路を算出して、目的地まで経路案内してくれる経路案内装置が知られている。しかしながら、目的地は家庭内で決まることが多いにも関わらず、経路案内装置にて目的地を設定する場合、目的地の住所や電話番号をメモして、そのメモを車両内に持って行き車両内で設定するという煩わしい作業を伴う場合があった。
【００２１】
しかしながら請求項７に記載の無線ＬＡＮシステムでは、家庭における情報機器が目的地までの案内経路に関する経路案内データを生成するデータ生成手段を備えることによって、車両における情報機器では経路案内データを取得するだけで経路案内を行うことができる。
【００２２】
また、データ生成手段にて生成される経路案内データとしては、請求項８に記載のように目的地データでもよいし、請求項９に記載のように目的地データと案内経路の算出条件データでもよいし、更には、請求項１０に記載のように目的地までの経路データであってもよい。
【００２３】
また、請求項１１に記載の無線ＬＡＮシステムでは、車両における情報機器は目的地を設定する目的地設定手段を備え、経路案内手段は目的地が設定されると現在位置から目的地までの経路データを算出し、経路データに基づいて現在位置から目的地までの経路案内を行うものであり、家庭における情報機器は経路データを取得すると、取得した経路データを出力及び／又は家庭側記憶手段に記憶することを特徴とするものである。
【００２４】
このように、車両における情報機器にて現在位置から目的地までの経路データを算出した場合、家庭における情報機器はその経路データを取得することによって、家庭にいながら案内経路を纏めることができる。
【００２５】
また、請求項１２に記載の無線ＬＡＮシステムでは、車両における情報機器は撮像装置から画像データを取得する画像取得手段を備えることを特徴とするものである。
【００２６】
このように、車両における情報機器に画像取得手段を備えることによって、家庭における情報機器は、車両で取得した画像データを家庭側無線ＬＡＮ接続手段にて取得できるので、撮像装置を家庭に持ち運ぶことなくドライブ中に撮像した画像を家庭で閲覧するなどして楽しむことができる。
【００２７】
また、請求項１３に記載の無線ＬＡＮシステムでは、家庭における情報機器は家庭側無線ＬＡＮ接続手段と無線ＬＡＮにて接続されることを特徴とするものである。
【００２８】
このように、家庭における情報機器と家庭側無線ＬＡＮ接続手段とを無線ＬＡＮで接続するようにしてもよい。
【発明を実施するための最良の形態】
【００２９】
以下、本発明の実施の形態を図に基づいて説明する。図１は本発明の実施の形態における無線ＬＡＮシステムの概略構成を示すイメージ図である。図２は本発明の実施の形態におけるナビゲーション装置１０の概略構成を示すブロック図である。なお、本実施の形態では、本発明の無線ＬＡＮシステムをパーソナルコンピュータＰ１、Ｐ２とナビゲーション装置１０とが無線ＬＡＮで接続された例を用いて説明する。
【００３０】
無線ＬＡＮシステムは、図１に示すようにナビゲーション装置１０とパーソナルコンピュータＰ１、Ｐ２が設けられた家庭２０とを備える。ナビゲーション装置１０は、ナビＥＣＵ１１、操作デバイス１２、表示装置１３、スピーカ１４、テレビ受信機１５、ディスクプレーヤ１６、位置検出器１７を備える。
【００３１】
ナビＥＣＵ１１は、図２に示すように無線ＬＡＮ制御部１、無線ＬＡＮアンテナＡ、電源制御部２、ナビ制御部３、ハードディスク４、入力処理部５、出力処理部６などを備える。
【００３２】
無線ＬＡＮ制御部１は、高周波処理部、データ処理部、ＣＰＵ、メモリ、無線ＬＡＮアンテナＡなどを備える。無線ＬＡＮ制御部１は、無線ＬＡＮアンテナＡを介して家庭２０に設けられた無線ルータ２１との間で通信接続するよって、ナビゲーション装置１０とパーソナルコンピュータＰ１、Ｐ２とを無線ＬＡＮで接続する。
【００３３】
家庭２０のパーソナルコンピュータＰ１、Ｐ２に画像データなどの送信を行う場合、送信するデータをデータ処理部にて変調などの処理を行い、処理されたデータを高周波処理部にて電波に乗せて無線ＬＡＮアンテナＡを介して送信する。また、家庭２０のパーソナルコンピュータＰ１、Ｐ２から送信された画像データなどを受信する場合、無線ＬＡＮアンテナＡ及び高周波処理部にて受信したデータをデータ処理部にて復調などの処理を行う。
【００３４】
メモリにはナビゲーション装置１０の無線ＬＡＮ上でのアドレスを示す識別子（ＩＰアドレス、ＭＡＣアドレスなど）が記憶されており、ＣＰＵはこの識別子を含むデータを所定周期毎に無線ルータ２１へ送信する。なお、この無線ＬＡＮ制御部１は、図示しない車載バッテリーから電源制御部２を介して常時電源供給されている。
【００３５】
電源制御部２は、車載バッテリーと接続されており、無線ＬＡＮ制御部１、ナビ制御部３、ハードディスク４などへの電源供給を制御するものである。電源制御部２は、図示しないキースロットに差し込まれた車両キーがアクセサリー（以下、ＡＣＣとも称する）の位置にあることを示す信号を取得すると、ナビ制御部３及びハードディスク４へ電源供給を行う。また、電源制御部２は、無線ＬＡＮ制御部１から電源オンを示す信号を取得した場合にもナビ制御部３及びハードディスク４へ電源供給を行う。
【００３６】
ナビ制御部３は、ＣＰＵ、メモリなどを備え、メモリに記憶されたプログラムに従って経路設定などの演算処理を実行する。ハードディスク４は、経路設定のための地図データ、後ほど説明する音声データ、画像データ、目的地データなどを書換え可能な状態で記憶する。ハードディスク４は、データの種別と対応した複数のフォルダ（記憶領域）を備えており、例えば、地図フォルダ、共有フォルダなどのフォルダを備える。この共有フォルダには、ナビ制御部３にて使用できるばかりではなく家庭２０のパーソナルコンピュータＰ１、Ｐ２でも使用できるデータが記憶されている。すなわち、共有フォルダとは、ナビゲーション装置１０と家庭２０内のパーソナルコンピュータＰ１、Ｐ２とで共有できるデータを記憶するフォルダである。
【００３７】
入力処理部５は、テレビ受信機１５にて受信したテレビ放送波を画像データ及び音声データに複調すると共に、ディスクプレーヤ１６にて読出されたＣＤ−ＲＯＭやＤＶＤ−ＲＯＭに記憶されたデータを画像データ及び／又は音声データに複調する。
【００３８】
出力処理部６は、テレビ受信機１５やディスクプレーヤ１６などから取得した画像データを表示装置１３にて表示可能なデータに変換すると共に、テレビ受信機１５やディスクプレーヤ１６などから取得した音声データをスピーカ１４にて出力可能なデータに変換するする。
【００３９】
操作デバイス１２は、ナビゲーション装置１０の各種の機能に対応付けられた操作信号をナビ制御部３に入力するためのものであり、表示装置１３と一体に構成され表示画面上に設定されるタッチスイッチ、もしくは表示装置１３の周囲に設けられたメカニカルなキースイッチ等を備える。
【００４０】
表示装置１３は、カラー液晶パネルなどにより構成される。この表示装置１３は出力処理部６にて変換されたデータを表示する。スピーカ１４は、出力処理部６にて変換されたデータを出力する。
【００４１】
テレビ受信機１５は、アンテナを備え、テレビ放送波をアンテナにて受信して、その受信したテレビ放送波を入力処理部５に送信する。ディスクプレーヤ１６は、ＬＥＤなどを備える光ピックアップにてＣＤ−ＲＯＭやＤＶＤ−ＲＯＭに記憶されたデータを読出し、その読出したデータを入力処理部５に送信する。
【００４２】
位置検出器１７は、いずれも周知の地磁気センサ、ジャイロスコープ、距離センサ、及びＧＰＳ受信機などを有している。位置検出器１７は、車両の位置を検出し、その検出した位置検出信号をナビ制御部３へ出力する。
【００４３】
一方、家庭２０は、無線ルータ２１、ビデオレコーダ２２、モデム２３、パーソナルコンピュータＰ１、Ｐ２を備える。
【００４４】
無線ルータ２１は、無線ＬＡＮアンテナＡなどを備え、家庭２０内に備えられるパーソナルコンピュータＰ１、Ｐ２とナビゲーション装置１０とを無線ＬＡＮ接続するものである。無線ルータ２１は、パーソナルコンピュータＰ１、Ｐ２及びナビゲーション装置１０からの受信したデータに含まれる識別子（ＩＰアドレス、ＭＡＣアドレスなど）が無線ＬＡＮに対応する識別子であるか否かを判定する。そして、無線ルータ２１は、対応する識別子であれば無線ＬＡＮ接続が成立したことを示す信号をパーソナルコンピュータＰ１、Ｐ２と無線ＬＡＮ制御部１へ送信する。
【００４５】
ビデオレコーダ２２は、ビデオテープに録画された画像データ及び／又は音声データを磁気ヘッドにて読出し、図示しない表示装置などに再生したり、図示しないアンテナから受信したテレビ放送波が復調などされた画像データ及び／又は音声データをビデオテープに録画したりする。
【００４６】
モデム２３は、パーソナルコンピュータＰ１、Ｐ２からの指示信号に従って、電話回線を介してインターネット網との接続を行う。また、モデム２３は、パーソナルコンピュータＰ１、Ｐ２からのデータを送信可能な形態に符号化すると共に、インターネット網を介して入力されるデータをパーソナルコンピュータＰ１、Ｐ２にて処理可能な形態に復号化する。
【００４７】
パーソナルコンピュータＰ１、Ｐ２は、制御回路、表示装置、操作デバイス、ハードディスク、ディスクプレーヤ、無線ＬＡＮ制御部、無線ＬＡＮアンテナＡなどを備える。
【００４８】
制御回路は、通常のコンピュータとして構成されており、内部には周知のＣＰＵ、ＲＯＭ、ＲＡＭ、Ｉ／Ｏ及びこれらの構成を接続するバスラインが備えられている。ＲＯＭにはパーソナルコンピュータＰ１、Ｐ２が実行するためのプログラムなどが記憶されている。なお、表示装置、操作デバイス、ハードディスク、ディスクプレーヤ、無線ＬＡＮ制御部、無線ＬＡＮアンテナＡに関しては、ナビゲーション装置１０に備えられるものと略同じものであるので説明を省略する。
【００４９】
ここで、ナビゲーション装置１０と家庭２０内のパーソナルコンピュータＰ１、Ｐ２とでのデータの共有に関して説明する。まず、家庭２０にあるＣＤ−ＲＯＭ、ＤＶＤ−ＲＯＭ及びビデオテープに記憶されたデータ（映画や音声など）をナビゲーション装置１０とパーソナルコンピュータＰ１、Ｐ２とで共有する場合に関して説明する。
【００５０】
パーソナルコンピュータＰ１、Ｐ２の制御回路（以下、単に制御回路とも称する）は、操作デバイスからＣＤ−ＲＯＭ、ＤＶＤ−ＲＯＭに記憶されたデータのパーソナルコンピュータＰ１、Ｐ２のハードディスク（以下、単にハードディスクとも称する）への記憶を示す操作信号が入力されると、ディスクプレーヤにてＣＤ−ＲＯＭ、ＤＶＤ−ＲＯＭに記憶されたデータを読出す。そして、制御回路は、読み出したデータを送信するデータとしてハードディスクの共有フォルダに記憶する。なお、記憶するデータには、そのデータの内容を表すテキストデータ（例えば、ＡＢＣＤ（楽曲名）など）やデータ名も含むようにしてもよい。
【００５１】
また、制御回路は、操作デバイスからビデオテープに録画されたデータのハードディスクへの記憶を示す操作信号が入力されると、ビデオレコーダ２２にてビデオテープに録画されたデータを読み出す。そして、制御回路は、読み出したデータを送信するデータとしてハードディスクの共有フォルダに記憶する。なお、記憶するデータには、そのデータの内容を表すテキストデータ（例えば、火曜△△劇場など）やデータ名も含むようにしてもよい。
【００５２】
次に、家庭２０のパーソナルコンピュータＰ１、Ｐ２にて目的地までの案内経路の設定を行う場合、すなわち、目的地までの案内経路に関する経路案内データをナビゲーション装置１０とパーソナルコンピュータＰ１、Ｐ２とで共有する場合に関して説明する。なお、無線ＬＡＮの接続可能範囲（３００ｍ程度）であるので、パーソナルコンピュータＰ１、Ｐ２にて目的地までの案内経路の設定を行う場合の現在位置は車庫とする。
【００５３】
制御回路は、操作デバイスから目的地を示す操作信号、車両の現在位置（車庫）から目的地までの案内経路の設定を示す操作信号が入力されると、車両の現在位置から目的地までの経路データ（複数の道路が交差、合流、分岐する地点に関するノードデータ、その地点間を結ぶ道路に関するリンクデータなど）を示す経路案内データを算出する。そして、制御回路は、算出した経路案内データを送信するデータとしてハードディスクの共有フォルダに記憶する。なお、記憶するデータには、そのデータの内容を表すテキストデータ（例えば、東京○○ランドなど）やデータ名も含むようにしてもよい。
【００５４】
また、経路案内データとしては、上述の経路データに限定されるものではなく、目的地を示す目的地データ、目的地データと経路の算出条件を示す算出条件データなどであってもよい。
【００５５】
経路案内データが目的地データである場合、制御回路は、操作デバイスから目的地を示す操作信号が入力されると、その目的地を示す目的地データ（経路案内データ）を送信するデータとしてハードディスクの共有フォルダに記憶する。
【００５６】
経路案内データが目的地データと経路の算出条件を示す算出条件データである場合、制御回路は、操作デバイスから目的地を示す操作信号が入力されると、その目的地を示す目的地データ（経路案内データ）を送信するデータとしてハードディスクの共有フォルダに記憶する。更に、制御回路は、操作デバイスから優先する道路（有料道路を優先など）や最短距離での経路などの経路の算出条件を示す操作信号が入力されると、その算出条件を示す算出条件データ（経路案内データ）を送信するデータとしてハードディスクの共有フォルダに記憶する。
【００５７】
一方、ナビゲーション装置１０の無線ＬＡＮ制御部１では、パーソナルコンピュータＰ１、Ｐ２との間で無線ＬＡＮ接続が成立すると、パーソナルコンピュータＰ１、Ｐ２のハードディスクの共有フォルダを確認する。無線ＬＡＮ制御部１は、共有フォルダに送信するデータが記憶されていれば、そのデータを無線ＬＡＮを介して受信する。
【００５８】
なお、本発明における無線ＬＡＮシステムは、家庭２０に存在するデータをナビゲーション装置１０で利用するばかりでなく、ナビゲーション装置１０に存在するデータを家庭２０にて利用することも可能である。
【００５９】
この場合、ナビゲーション装置１０のナビ制御部３は、操作デバイス１２からデータの記憶を示す操作信号が入力されると、図示しないビデオカメラにて撮像された画像データや車両が走行した経路データなどをハードディスク４の共有フォルダに送信するデータとして記憶しておく。
【００６０】
そして、無線ＬＡＮ制御部１では、パーソナルコンピュータＰ１、Ｐ２との間で無線ＬＡＮ接続が成立すると、ハードディスク４の共有フォルダを確認する。無線ＬＡＮ制御部１は、ハードディスク４の共有フォルダに送信するデータが記憶されていれば、そのデータを無線ＬＡＮを介してパーソナルコンピュータＰ１、Ｐ２へ送信する。
【００６１】
ここで、本発明の実施の形態におけるナビゲーション装置１０の動作について説明する。図３は本発明の実施の形態におけるナビゲーション装置１０の動作を示すフロー図である。ナビゲーション装置１０による動作は所定周期毎に実行される。
【００６２】
ステップＳ１では、ナビゲーション装置１０の無線ＬＡＮ制御部１は、メモリに記憶された識別子を含むデータを無線ＬＡＮアンテナＡを介して無線ルータ２１へ送信する。そして、無線ルータ２１から、無線ＬＡＮ接続が成立したことを示す信号を受信したか否かによって無線ＬＡＮ接続が成立したか否かを確認する。
【００６３】
ステップＳ２では、無線ＬＡＮ制御部１は、無線ＬＡＮ接続が成立したことを示す信号を受信した場合はステップＳ３へ進み、無線ＬＡＮ接続が成立したことを示す信号を受信してない場合は無線ＬＡＮ接続が成立してないとみなして処理を終了する。
【００６４】
ステップＳ３では、無線ＬＡＮ制御部１は、受信するデータ（映画や音声などのデータ）があるか否かを確認するために、パーソナルコンピュータＰ１、Ｐ２のハードディスクの共有フォルダを確認する。
【００６５】
ステップＳ４では、無線ＬＡＮ制御部１は、共有フォルダにデータがある場合は、そのデータの受信を行うためにステップＳ５へ進み、共有フォルダにデータがない場合は処理を終了する。
【００６６】
ステップＳ５では、無線ＬＡＮ制御部１は、受信するデータをハードディスク４に記憶するためにナビ制御部３及びハードディスク４の電源を確認する。
【００６７】
ステップＳ６では、無線ＬＡＮ制御部１は、ナビ制御部３及びハードディスク４がバッテリーから電源供給されており電源がオンである場合はステップＳ８へ進み、電源がオンでない場合はステップＳ７へ進む。
【００６８】
ステップＳ７では、無線ＬＡＮ制御部１は、ナビ制御部３及びハードディスク４へバッテリーからの電源を供給するために、電源制御部２に電源オンを示す信号を送信する。電源オンを示す信号を受信した電源制御部２は、ナビ制御部３及びハードディスク４へバッテリーからの電源の供給を行う。
【００６９】
このように、ナビ制御部３及びハードディスク４がバッテリーから電源供給されてない場合でも、共有フォルダにデータを記憶しておくことによってデータをナビゲーション装置１０へ送信することができる。従って、データをナビゲーション装置１０へ送信する場合、ナビ制御部３、ハードディスク４へ電源供給を行わせるために、わざわざ車両の所まで行ってキースロットに車両キーを差し込んだりする必要がなくなる。
【００７０】
ステップＳ８では、無線ＬＡＮ制御部１は、共有フォルダのデータを無線ＬＡＮを介して受信する。
【００７１】
ステップＳ９では、ナビ制御部３は、無線ＬＡＮ制御部１にて受信したデータを表示装置１３で表示したり、スピーカ１４にて出力したりするためにハードディスク４へ記憶する。なお、無線ＬＡＮ制御部１にて受信したデータが経路案内データであった場合、ナビ制御部３は、表示装置１３に案内経路を表示するなどして車両の現在位置（車庫）から目的地までの経路案内を行う。
【００７２】
ステップＳ１０では、無線ＬＡＮ制御部１は、パーソナルコンピュータＰ１、Ｐ２のハードディスクの共有フォルダに記憶されたデータを全て受信したか否かを確認するために共有フォルダを確認する。
【００７３】
ステップＳ１１では、共有フォルダのデータを全て受信し、共有フォルダにはデータが残っていない場合はステップＳ１２へ進み、まだ共有フォルダにデータが残っている場合はステップＳ８での処理を繰り返す。
【００７４】
ステップＳ１２では、無線ＬＡＮ制御部１は、ナビ制御部３及びハードディスク４の電源をステップＳ８にてデータを受信する以前の状態にセットする。無線ＬＡＮ制御部１は、データを受信する以前にナビ制御部３及びハードディスク４へバッテリーから電源供給されていた場合は電源供給状態を維持させ、電源供給されていなかった場合は電源制御部２に電源オフを示す信号を送信する。
【００７５】
なお、ナビゲーション装置１０に存在するデータを家庭２０にて利用する場合は、無線ＬＡＮ制御部１はステップＳ２にて無線ＬＡＮ接続が成立した時点でハードディスク４の共有フォルダにデータがあるか否かを確認する。ただし、ナビ制御部３及びハードディスク４がバッテリーから電源供給されてない場合は、無線ＬＡＮ制御部１は電源制御部２に電源オンを示す信号を送信し、ナビ制御部３及びハードディスク４へバッテリーからの電源の供給を行ってからデータがあるか否かを確認する。そして、ハードディスク４の共有フォルダにデータがある場合、無線ＬＡＮ制御部１は、そのデータを無線ＬＡＮを介してパーソナルコンピュータＰ１、Ｐ２へ送信する。
【００７６】
また、ナビゲーション装置１０に存在するデータを家庭２０にて利用する場合は、パーソナルコンピュータＰ１、Ｐ２の無線ＬＡＮ制御部が、無線ルータ２１及び無線ＬＡＮ制御部１と無線ＬＡＮ接続が成立した時点でハードディスク４の共有フォルダにデータがあるか否かを確認するようにしてもよい。そして、ハードディスク４の共有フォルダにデータがある場合、パーソナルコンピュータＰ１、Ｐ２の無線ＬＡＮ制御部は、そのデータを無線ＬＡＮを介して受信する。
【００７７】
なお、本実施の形態においては、無線ＬＡＮ制御部１は共有フォルダのデータを全部受信する例を用いて説明したが本発明はこれに限定されるものではない。無線ＬＡＮ制御部１は共有フォルダのデータを選択的に受信するようにしてもよい。
【００７８】
この選択的にデータを受信する例について図４を用いて説明する。図４は本発明の実施の形態における表示装置１３の表示例を示すイメージ図である。この例の場合、ハードディスクの共有フォルダには、経路案内データとして現在位置から東京○○ランド、現在位置から京都□□寺までの経路案内データ、音声データとしてＡＢＣＤという楽曲名の音声データ、画像データとして火曜△△劇場という画像データが記憶されている。なお、各データの記憶までの処理に関しては上述のため説明は省略する。
【００７９】
無線ＬＡＮ制御部１は、ハードディスクの共有フォルダを確認し、共有フォルダに上記東京○○ランドなどのデータがあった場合、記憶されているデータの内容を表すテキストデータを受信し、そのテキストデータをナビ制御部３へ送信する。ナビ制御部３は、受信したテキストデータのリストを示す画像データを作成し、その画像データを表示装置１３へ送信する。画像データを受信した表示装置１３は、図４に示すようなデータリスト画面を表示することによって、受信するデータを選択できるようにしている。ただし、ナビ制御部３及びハードディスク４がバッテリーから電源供給されてない場合は、無線ＬＡＮ制御部１は電源制御部２に電源オンを示す信号を送信し、ナビ制御部３及びハードディスク４へバッテリーからの電源の供給を行ってからテキストデータを送信する。
【００８０】
そして、操作デバイス１２にて表示装置１３に表示されたデータリストから所望のデータを選択すると、操作デバイス１２から選択したデータの受信を示す操作信号がナビ制御部３へ出力される。ナビ制御部３は、操作デバイス１２から入力された操作信号が示すデータの受信を指示する指示信号を無線ＬＡＮ制御部１へ出力する。無線ＬＡＮ制御部１は、指示信号に対応するデータを共有フォルダから無線ＬＡＮを介して受信する。
【００８１】
また、データを選択的に受信する場合、パーソナルコンピュータＰ１、Ｐ２の表示装置にハードディスク４の共有フォルダに記憶されているデータのリストを表示することによって、受信するデータを選択できるようにしてもよい。
【００８２】
この場合、ナビ制御部３は、ハードディスク４の共有フォルダに記憶しているデータの内容を表すテキストデータのリストを示す画像データを作成し、その画像データをパーソナルコンピュータＰ１、Ｐ２へ送信する。この画像データを受信したパーソナルコンピュータＰ１、Ｐ２の制御回路は、表示装置にデータリスト画面を表示することによって、受信するデータを選択できるようにする。
【００８３】
そして、パーソナルコンピュータＰ１、Ｐ２の操作デバイスにて表示装置に表示されたデータリストから所望のデータを選択すると、操作デバイスから選択したデータの受信を示す操作信号が制御回路へ出力される。制御回路は、操作デバイスから入力された操作信号が示すデータの受信を指示する指示信号を無線ＬＡＮ制御部へ出力する。無線ＬＡＮ制御部は、指示信号に対応するデータをハードディスク４の共有フォルダから無線ＬＡＮを介して受信する。
【００８４】
なお、本実施の形態においては、ナビゲーション装置１０と家庭２０とでのデータの共有に関して説明したが、本発明はこれに限定されるものではない。ナビゲーション装置１０から家庭２０のパーソナルコンピュータＰ１、Ｐ２を操作するようにしてもよい。
【００８５】
例えば、ナビゲーション装置１０からパーソナルコンピュータＰ１、Ｐ２を操作し、モデム２３を介してインターネット網との接続を行うことによって、車両内からインターネットを楽しむことができる。
【００８６】
ナビ制御部３は、操作デバイス１２からインターネット網への接続を示す操作信号が入力されると、インターネット網への接続を指示する指示信号を無線ＬＡＮ制御部１へ出力する。無線ＬＡＮ制御部１は、入力された指示信号を無線ＬＡＮを介してパーソナルコンピュータＰ１、Ｐ２へ送信する。
【００８７】
指示信号を受信したパーソナルコンピュータＰ１、Ｐ２は、モデム２３へインターネット網への接続を示す指示信号を送信することによって電話回線を介してインターネット網との接続を行う。
【００８８】
そして、インターネット網を介して入力されるデータは、パーソナルコンピュータＰ１、Ｐ２から無線ＬＡＮを介してナビ制御部３へ入力される。また、ナビ制御部３から出力されるデータは無線ＬＡＮ及びパーソナルコンピュータＰ１、Ｐ２を介してインターネット網へ送信される。
【００８９】
また、本実施の形態においては、パーソナルコンピュータを２台（Ｐ１、Ｐ２）設ける例を用いて説明したが、本発明はこれに限定されるものではない。パーソナルコンピュータを１台だけ設けるようにしてもよいし、また３台以上のパーソナルコンピュータを設けるようにしてもよい。
【００９０】
また、本実施の形態においては、無線ルータ２１とパーソナルコンピュータＰ１、Ｐ２とは無線ＬＡＮ接続される例を用いて説明したが、本発明はこれに限定されるものではない。無線ルータ２１とパーソナルコンピュータＰ１、Ｐ２とは有線ＬＡＮで接続されるものであってもよい。
【００９１】
なお、本実施の形態においては、無線ＬＡＮ制御部１は、車載バッテリーから電源制御部２を介して常時電源供給される例を用いて説明したが、本発明はこれに限定されるものではない。電源制御部２が図示しないキースロットに差し込まれた車両キーがアクセサリーの位置にあることを示す信号を取得した時点で、無線ＬＡＮ制御部１へ電源供給を行うようにしてもよい。
【図面の簡単な説明】
【００９２】
【図１】本発明の実施の形態における無線ＬＡＮシステムの概略構成を示すイメージ図である。
【図２】本発明の実施の形態におけるナビゲーション装置１０の概略構成を示すブロック図である。
【図３】本発明の実施の形態におけるナビゲーション装置１０の動作を示すフロー図である。
【図４】本発明の実施の形態における表示装置１３の表示例を示すイメージ図である。
【符号の説明】
【００９３】
１  無線ＬＡＮ制御部、２  電源制御部、３  ナビ制御部、４  ハードディスク、５  入力処理部、６  出力処理部、１０  ナビゲーション装置、１１  ナビＥＣＵ、１２  操作デバイス、１３  表示装置、１４  スピーカ、１５  テレビ受信機、１６  ディスクプレーヤ、１７  位置検出器、２０  家庭、２１  無線ルータ、２２  ビデオレコーダ、２３  モデム、Ａ  無線ＬＡＮアンテナ、Ｐ１  パーソナルコンピュータ、Ｐ２  パーソナルコンピュータ
【図１】
2005244832.tif 000003
【図２】
2005244832.tif 000004
【図３】
2005244832.tif 000005
【図４】
2005244832.tif 000006